(57)【要約】【課題】電力消費を抑えると共に、操作性を向上させることが可能なウェアラブル情報端末を提供する。【解決手段】ユーザの腕に巻回して装着可能なウェアラブル情報端末１であって、ディスプレイ１１と、ユーザの腕に装着した際のディスプレイ１１の対向位置の外側面に存在するタッチパッド１２と、基準軸に対するウェアラブル情報端末１の傾きを検出するセンサ１３と、タッチパッド１２への操作を検出した場合、ディスプレイ１１における当該操作位置に対応する位置にポインタアイコン１１０を表示するとともに、傾きが所定の範囲でありタッチパッド１２への操作が未検出である場合にディスプレイ１１を省電力モードに切り替える制御部３と、を有する。【選択図】図１
2015207271.tif 000002
【特許請求の範囲】
【請求項１】
ユーザの腕に巻回して装着可能なウェアラブル情報端末であって、
ディスプレイと、
前記ユーザの腕に装着した際の前記ディスプレイの対向位置の外側面に存在するタッチパッドと、
基準軸に対する前記ウェアラブル情報端末の傾きを検出するセンサと、
前記タッチパッドへの操作を検出した場合、ディスプレイにおける当該操作位置に対応する位置にポインタアイコンを表示するとともに、前記傾きが所定の範囲であり前記タッチパッドへの操作が未検出である場合に前記ディスプレイを省電力モードに切り替えるコントローラと、
を有することを特徴とするウェアラブル情報端末。
【請求項２】
請求項１に記載のウェアラブル情報端末と、前記腕時計型情報端末を充電する充電器と、を有する充電システムであって、
前記充電器は、
前記ウェアラブル情報端末を、前記基準軸を固定した状態に載置可能な筐体と、
前記筐体に設けられた前記ウェアラブル情報端末に接続するための充電器側端子部と、
とを有し、
前記ウェアラブル情報端末は、
前記筐体に載置された状態で前記充電器の前記充電器側端子部に接続される情報端末側端子部を有し、前記コントローラが、前記充電用端子部に前記情報端末側端子部が接続されて電力が供給されたことを検出した場合、前記基準軸を再設定すること特徴とする充電システム。
【請求項３】
前記コントローラは、前記センサにより検出される前記基準軸に対する傾きが時間の経過と共に変化し、この変化する状態が所定時間続く場合、且つ前記タッチパッドへの操作が未検出である場合、前記ディスプレイを省電力モードに切り替えること、
を特徴とする請求項１から２に記載のウェアラブル端末。
【請求項４】
前記ディスプレイは、前記タッチパッドにより選択可能なオブジェクトを表示可能であり、前記コントローラは、前記ポインタアイコンが前記オブジェクト上に存在し、且つ前記センサにより検出される傾きが変化した場合、前記オブジェクトを選択させる、
ことを特徴とする請求項１から３に記載のウェアラブル端末。
【請求項５】
前記オブジェクトはアプリケーションを起動させるためのアイコンであり、前記コントローラは、前記アイコンが選択されると前記アイコンに関連付けられた前記アプリケーションを起動させる、
ことを特徴とする請求項４に記載のウェアラブル端末。
【請求項６】
前記ポインタアイコンの移動速度を変更可能な変更部を備え、
前記コントローラは、前記タッチパッドに対する操作が静止した状態である場合、前記変更部により前記ポインタアイコンの移動速度を変更する制御を行う、
ことを特徴とする請求項１から５に記載のウェアラブル端末。
【発明の詳細な説明】
【技術分野】
【０００１】
本発明は、ウェアラブル端末に関する。
【背景技術】
【０００２】
近年、ウェアラブル情報端末等の携帯機器の高機能化、及び多機能化に伴い、消費電力が増加傾向にある。しかしながら、携帯機器の大きさや重量などの観点から電池の大容量化は難しいのが現状である。
【０００３】
例えば、引用文献１には、電力消費を抑え、誤操作を防止するとともに、情報端末を操作し続けることで周りが見えづらくなってしまうこと等を防止すべく、使用者の使用状態を検出し、検出された使用者の使用状態に応じて、表示手段への情報の表示を制限するとともに入力手段への入力操作を禁止する第１のモード、表示手段への情報の表示を許可するとともに入力手段への入力操作を禁止する第２のモード、および表示手段への情報の表示および入力手段への入力操作を許可する第３のモードのいずれかを設定する腕時計型情報端末が開示されている。
【先行技術文献】
【特許文献】
【０００４】
【特許文献１】特開２０１３−１９８１０７号公報
【発明の概要】
【発明が解決しようとする課題】
【０００５】
ところで、近年は、ウェアラブル情報端末等の携帯機器に、画面を指でタッチすることにより簡易に操作が可能なタッチパネルが多く用いられている。従って、操作する指で携帯機器自体が隠れるため、引用文献１に記載のような使用者の使用状態を検出するための顔認識が難しい虞がある。また、小型のウェアラブル情報端末では、指で操作する際に画面が隠れてしまうため、却って操作し難くなってしまう虞がある。
【０００６】
そこで、本発明では、電力消費を抑えると共に、操作性を向上させることが可能なウェアラブル情報端末を提供することを目的とする。
【課題を解決するための手段】
【０００７】
本発明は、ユーザの腕に装着可能なウェアラブル情報端末であって、ディスプレイと、前記ユーザの腕に装着した際の前記ディスプレイの背面側となる位置に存在するタッチパッドと、基準軸に対する前記ウェアラブル情報端末の傾きを検出するセンサと、前記タッチパッドへの操作を検出した場合、ディスプレイにおける当該操作位置に対応する位置にポインタアイコンを表示するとともに、前記傾きが所定の範囲であり前記タッチパッドへの操作が未検出である場合に前記ディスプレイを省電力モードに切り替えるコントローラと、を有する。
【０００８】
上記の構成によれば、タッチパッドがディスプレイの背面側に配置されており、またタッチパッドを操作した位置に応じたポインタアイコンが表示される。これにより、ディスプレイが使用者自身の指で隠れることなく操作が可能であり、また操作位置がディスプレイにおいてポインタアイコンにより示されるため、操作性が向上したものとなる。また、タッチパッドが操作されていないときにウェアラブル情報端末が所定の範囲の傾きとなった場合に省電力モードに切り替えることができるため、電力消費を抑えることができる。
【０００９】
本発明は、上記記載のウェアラブル情報端末と、前記ウェアラブル情報端末を充電する充電器と、を有する充電システムであって、前記充電器は、前記ウェアラブル情報端末を、前記基準軸を固定した状態に載置可能な筐体と、前記筐体に設けられた前記ウェアラブル情報端末に接続するための充電器側端子部と、とを有し、前記ウェアラブル情報端末は、前記筐体に載置された状態で前記充電器の前記充電器側端子部に接続される情報端末側端子部を有し、前記コントローラが、前記充電用端子部に前記情報端末側端子部が接続されて電力が供給されたことを検出した場合、前記基準軸を再設定する。
【００１０】
一般的に、傾きを検知するセンサは、激しい動作を行った場合に基準軸がずれることがある。上記の構成によれば、充電の際に基準軸が自動で再設定されるため、使用者に対して意識的に再設定させる必要がなくなる。また、充電の際に行うため設定中に電池切れを起こすことがなく、さらにそれによる故障を防止することができる。
【００１１】
本発明は、前記コントローラは、前記センサにより検出される前記基準軸に対する傾きが時間の経過と共に変化し、この変化する状態が所定時間続く場合、且つ前記タッチパッドへの操作が未検出である場合に、前記ディスプレイを省電力モードに切り替える。
【００１２】
上記構成によれば、基準軸から傾きが変化し続けており、且つタッチパッドへの操作が未検出である場合、使用者はウェアラブル端末を腕に巻回したまま操作を行わず、歩行中や運動中であるといったケースが考えられる。このような場合に省電力モードに移行することにより、使用者がウェアラブル端末への操作を行う予定が無い場合の無用な電力消費を抑えることが可能となる。
【００１３】
本発明は、前記ディスプレイは、前記タッチパッドにより選択可能なオブジェクトを表示可能であり、前記コントローラは、前記ポインタアイコンが前記オブジェクト上に存在し、且つ前記センサにより検出される傾きが変化した場合、前記オブジェクトを選択させる。
【００１４】
上記構成によれば、ポインタアイコンを利用してオブジェクトを選択する場合、タッチパッドによりポインタアイコンを移動させ、その後はタッチパッドに対して操作を行うことなくウェアラブル端末を傾けるだけで選択動作を行うことが可能となる。
【００１５】
本発明は、前記オブジェクトはアプリケーションを起動させるためのアイコンであり、前記コントローラは、前記アイコンが選択されると前記アイコンに関連付けられた前記アプリケーションを起動させる。
【００１６】
一般に、腕に巻回するタイプのウェアラブル端末はディスプレイの面積が小さく、それに伴いタッチパッドで操作する際の操作面積も小さくなり、タッチパッドに細かい操作が要求される。上記構成によれば、アプリケーションを起動する際、タッチパッドによる操作はポインタアイコンをアイコン上に移動させるだけでよく、アプリケーションを起動する際の操作を容易にすることが可能となる。
【００１７】
本発明は、前記ポインタアイコンの移動速度を変更可能な変更部を備え、前記コントローラは、前記タッチパッドに対する操作が静止した状態である場合、前記変更部により前記ポインタアイコンの移動速度を変更する制御を行う。
【００１８】
上記構成によれば、例えばポインタアイコンの移動速度を通常の速度よりも低速に変更することにより、ディスプレイに表示されるオブジェクトを選択する際のポインタアイコンの操作が容易となる。
【図面の簡単な説明】
【００１９】
【図１】本実施形態のウェアラブル情報端末の概略を説明する図である。
【図２】本実施形態の充電システムの概略を説明する図である。
【図３】ウェアラブル情報端末の構成を示す図である。
【図４】ウェアラブル情報端末が実行する処理フローを示す図である。
【図５】ウェアラブル情報端末のパッチパッドの操作方法を説明する図である。
【図６】ウェアラブル情報端末の手書き認識の入力方法を説明する図である。
【図７】ウェアラブル情報端末が実行する第２の省電力モード移行動作の処理フローを示す図である。
【図８】ウェアラブル情報端末のディスプレイの表示例を示す図である。
【図９】ウェアラブル情報端末が実行するオブジェクト選択の処理フローを示す図である。
【図１０】ウェアラブル情報端末が実行するポインタアイコンの移動速度変更の処理フローを示す図である。
【発明を実施するための形態】
【００２０】
以下、本発明の実施形態について説明する。
【００２１】
（概要）
本実施形態のウェアラブル情報端末１は、ユーザの腕に装着可能な情報端末である。図１に示すように、ウェアラブル情報端末１は、ディスプレイ１１と、ユーザの腕に装着した際のディスプレイ１１の対向位置の外側面に存在するタッチパッド１２と、基準軸に対するウェアラブル情報端末１の傾きを検出するセンサ１３（図３参照）と、を有している。そして、ウェアラブル情報端末１は、タッチパッド１２への操作を検出した場合、ディスプレイ１１における当該操作位置に対応する位置にポインタアイコン１１０を表示する機能を有している。また、ウェアラブル情報端末１は、基準軸に対するウェアラブル情報端末１の傾きが所定の範囲であり前記タッチパッドへの操作が未検出である場合にディスプレイ１１を省電力モードに切り替える機能を有している。尚、タブレット型の情報端末の背面にタッチパッドを設け、これに適用するものであってもよい。
【００２２】
ここで、ディスプレイ１１は、１つのみが設けられていることに限定されず、例えば、環状に形成されたウェアラブル情報端末１の端末筐体１４の外面に複数個設けられていてもよい。また、ディスプレイ１１は、ウェアラブル情報端末１の筐体１０の外面がディスプレイで形成されていてもよいし、外面を覆うように複数個配設されていてもよい。このような場合、ディスプレイ１１自体がタッチパッド１２の機能を備えていてもよい。即ち、タッチパッド１２は、ディスプレイ１１に設けられたタッチパネルであってもよく、ディスプレイ１１全面、又は、一部を覆うように設けられていてもよい。
【００２３】
図示しないが、センサ１３は、ジャイロセンサや加速度センサ等である。ウェアラブル情報端末１は、これらを１又は複数有していることで、基準軸に対するウェアラブル情報端末１の傾きを検出することが可能となっている。
【００２４】
「ウェアラブル情報端末１の所定の範囲の傾き」とは、所謂未使用状態を示すウェアラブル情報端末１の姿勢を示す。所定の範囲は、ユーザにより設定可能であってもよいし、ユーザの使用履歴により自動的に設定されるものであってもよい。また、ユーザの姿勢（立位状態、座位状態、伏臥状態、仰臥状態、及び、横臥状態等）を検出して、予め設定された複数の所定の範囲を夫々対応したものに切替えるものであってもよい。
【００２５】
このように、ウェアラブル情報端末１は、タッチパッド１２がディスプレイ１１の対向位置の外側面に配置されており、またタッチパッド１２を操作した位置に応じたポインタアイコン１１０が表示される。これにより、ディスプレイ１１が使用者自身の指で隠れることなく操作が可能であり、また操作位置がディスプレイ１１においてポインタアイコン１１０により示されるため、操作性が向上したものとなる。また、タッチパッド１２が操作されていないときにウェアラブル情報端末１が所定の範囲の傾きとなった場合に省電力モードに切り替えることができるため、電力消費を抑えることができる。
【００２６】
また、本実施形態のウェアラブル情報端末１は、図２に示すように、商用電源（図示せず）に接続された充電器２によって充電することが出来るようになっている。即ち、ウェアラブル情報端末１と、商用電源に接続されウェアラブル情報端末を充電する充電器２と、を有する充電システム１０が構成される。
【００２７】
充電器２は、ウェアラブル情報端末１を、基準軸を固定した状態に載置可能な充電器筐体２１と、充電器筐体２１に設けられたウェアラブル情報端末１に接続するための充電器側端子部２２と、とを有している。一方、ウェアラブル情報端末１は、充電器筐体２１に載置された状態で充電器２の充電器側端子部２２に接続される情報端末側端子部１５を有している。そして、ウェアラブル情報端末１は、充電器側端子部２２に情報端末側端子部１５が接続されて電力が供給されたことを検出した場合、基準軸を再設定する。
【００２８】
このように、ウェアラブル情報端末１は、充電の際に基準軸が自動で再設定されるため、使用者に対して意識的に再設定させる必要がなくなる。また、充電の際に基準軸の再設定を行うため設定中に電池切れを起こすことがなく、さらにそれによる異常や故障の発生を防止することができる。
【００２９】
尚、ウェアラブル情報端末１とは別にアプリケーションが提供されるものであってもよい。即ち、本願発明は、タブレット端末のようなコンピュータを、タッチパッドへの操作を検出した場合にディスプレイにおける当該操作位置に対応する位置にポインタアイコンを表示する表示手段、及び、基準軸に対する傾きが所定の範囲であり前記タッチパッドへの操作が未検出である場合に前記ディスプレイを省電力モードに切り替える省電力モード切替手段、として機能させるためのプログラムとして提供されてもよい。また、タッチパッドがディスプレイの対向位置の外側面に存在するものに限定されず、ディスプレイ上にのみタッチパッド（タッチパネル）が存在するようなタブレット端末であってもよい。
【００３０】
（ウェアラブル情報端末１の構成）
上記に概要を示したウェアラブル情報端末１について具体的に説明する。
【００３１】
図３に示すように、ウェアラブル情報端末１は、制御部３、通信部４、記憶部５、ディスプレイ１１、入力部７、電源制御部８、センサ１３を備えている。
【００３２】
制御部３は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えている。通信部４は、無線対応通信デバイスを備え、図示していないアンテナにより、データの送受信を行う。記憶部５は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備えている。ディスプレイ１１は、画像を表示する液晶ディスプレイや有機ELディスプレイであり、これらのいずれか又は双方を備えている。尚、上述したとおり、。ディスプレイ１１には、オブジェクトが表示される。オブジェクトとは、ウェアラブル情報端末１に表示される表示項目であり、例えば、ウェアラブル情報端末１に記憶されたファイル、ウェアラブル情報端末１にて起動なアプリケーション等で表示されるアイコン等である。
【００３３】
本実施形態において、入力部７は、ユーザからの入力を受け付けるボタン（図示せず）やタッチパッド１２である。尚、ディスプレイ１１にタッチパッドとは別にタッチパネルが設けられる場合には、これを含んでいてもよい。
【００３４】
電源制御部８は、ウェアラブル情報端末１を動作させるための電力を供給するバッテリ等を備えている。
【００３５】
ウェアラブル情報端末１は、コントローラとしての制御部３が以下の機能を実現する。具体的に、ウェアラブル情報端末１は、基準軸に対するウェアラブル情報端末１の傾きを検出する傾き検出機能（手段）と、タッチパッド１２への操作を検出した場合ディスプレイ１１における当該操作位置に対応する位置にポインタアイコン１１０を表示するアイコン表示機能（手段）と、基準軸に対するウェアラブル情報端末の傾きが所定の範囲でありタッチパッド１２への操作が未検出である場合にディスプレイ１１を省電力モードに切り替える省電力モード切替機能（手段）と、を備える。
【００３６】
傾き検出機能は、ウェアラブル情報端末１に設定される基準軸に対する傾きを検出する機能である。基準軸は、例えば、ディスプレイ１１の水平走査方向に設定される。
【００３７】
アイコン表示機能は、タッチパッド１２への入力操作に応じて、ディスプレイ１１にポインタアイコン１１０を表示する機能である。タッチパッド１２は、ディスプレイ１１の背面側に位置し、背面側から操作されるため、タッチパッド１２から見て右方向へスライド操作した場合には、ディスプレイ１１においては左方向へスライド表示されることになる。このように、タッチパッド１２への入力操作に対し、ディスプレイ１１におけるポインタアイコン１１０の表示は、左右方向に関しては逆方向に表示されることが好ましい。
【００３８】
省電力モード切替機能は、基準軸に対するウェアラブル情報端末の傾きが所定の範囲であるか否かを検出する機能を有する。例えば、ディスプレイ１１の水平走査方向に設定された基準軸が垂直近傍にある場合は、ウェアラブル情報端末１が装着された腕が下された状態であり、未使用状態であると判断できる。即ち、ウェアラブル情報端末１の傾きが垂直を含む範囲などを所定範囲とすることで、ウェアラブル情報端末１が使用状態であるか未使用状態であるかが判定可能となる。
【００３９】
また、省電力モード切替機能は、タッチパッド１２への操作が未検出であるか否かを判定する機能を有する。尚、省電力モードへの移行は、タッチパッド１２への操作が未検出となってから所定時間経過後が好ましい。
【００４０】
また、省電力モード切替機能は、上述のように、ウェアラブル情報端末１のディスプレイ１１を省電力（スリープ）状態にする機能を有する。尚、省電力モード切替機能は、ディスプレイ１１に限定されず、内部のほとんどのデバイスに対して電源制御部８からの電力供給を停止している状態とする機能であってもよい。この場合、少なくとも外部からの入力部７に対する操作を検出し、さらにそれを契機としてウェアラブル情報端末１を起動させる機能に関しては動作された状態（電源が供給された状態）にされることが好ましい。即ち、省電力モード切替機能は、ウェアラブル情報端末１又はディスプレイ１１を起動状態（起動モード）に切り替える機能を有している。
【００４１】
（ウェアラブル情報端末１の動作）
次に、ウェアラブル情報端末１の制御部３の動作について説明する。
【００４２】
（省電力モード移行動作）
図４は、ウェアラブル情報端末１の省電力モード移行動作を示すフローチャートである。図４に示すように、先ず、制御部３は、センサ１３からのウェアラブル情報端末１の傾きを示す信号を受信することにより、ウェアラブル情報端末１の傾きが所定の範囲であるか否かを判定する（Ｓ１０）。尚、所定の範囲は、記憶部５に予め記憶される。ウェアラブル情報端末１の傾きが所定の範囲でない場合（Ｓ１０：ＮＯ）、ステップＳ１０の処理に戻る。
【００４３】
一方、ウェアラブル情報端末１の傾きが所定の範囲である場合（Ｓ１０：ＹＥＳ）、制御部３は、タッチパッド１２への操作が未検出であるか否かを判定する（Ｓ２０）。タッチパッド１２への操作が未検出でない（操作中である）場合（Ｓ２０：ＮＯ）、ステップＳ１０の処理に戻る。
【００４４】
一方、タッチパッド１２への操作が未検出である場合（Ｓ２０：ＹＥＳ）、ディスプレイ１１を省電力モードへ移行する（Ｓ３０）。
【００４５】
尚、ステップＳ１０と、ステップＳ２０の判定順については、逆であってもよいし、同時に行うものであってもよい。
【００４６】
また、省電力モードにおいて、制御部３がタッチパッド１２への操作を検出した場合、ディスプレイ１１を起動し起動モードへと移行する（図示せず）。
【００４７】
（充電時の動作）
ウェアラブル情報端末１が充電器２に接続された場合、制御部３は充電器筐体２１に載置された状態で充電器２に接続されたことを検出する。即ち、充電器２には、ウェアラブル情報端末１に接続された際に、ウェアラブル情報端末１へ信号を送信する構成を有している。そして、この状態で、制御部３が基準軸を再設定することにより、基準軸を正しく保つことが可能となる。
【００４８】
上述の処理を行うことにより、ユーザは通信強度の弱い環境に居た場合でも、信強度が
改善されると自動的にデータ送受信を行う事ができる。そのため、ユーザは通信強度が改
善されると自動的にデータの送受信を行う事ができ、不必要にスリープモードから通常状
態へと遷移させる必要がなくなるため、消費電力を抑えることができる。
【００４９】
（タッチパッドの操作方法）
タッチパッドの操作方法について、図５を用いて説明する。使用者はタッチパッド１２に指を接触させ、接触させた状態で指を移動するとディスプレイ１１に表示されるポインタアイコン１１０が指の移動に伴って移動する。例えば、タッチパッド１２の上部から下部へ指を移動させると、それに伴いポインタアイコン１１０がディスプレイ１１の上部から下部へ移動する。
【００５０】
（手書き認識の操作方法）
手書き認識による文字列の入力方法について、図６を用いて説明する。手書き認識とは、タッチパッドを利用して任意の文字列を入力すると、所定のアルゴリズムに従い文字データベースとマッチング処理を行い、手書きした文字列をアプリケーションで利用可能な文字列に変換する入力方法である。
【００５１】
ディスプレイ１１には、アプリケーションで利用する文字列を入力するためのテキストボックス１２０が表示されている（図６（ａ））。使用者は、ポインタアイコン１１０によりテキストボックス１２０を選択し、文字列の入力待ち状態にする（図６（ｂ））。手書き認識を行う場合、入力部７による入力、またはタッチパッド１２による操作を行い、手書き認識領域１３０を表示させる（図６（ｃ））。
【００５２】
次に、ポインタアイコン１１０を手書き認識領域１３０上に移動させ、任意の文字列を入力する。本実施例では、手書き認識領域１３０上にギリシア文字の“α”と入力したとする（図６（ｄ））。制御部３は、文字列が入力されると記憶部３に記憶された文字データベース（図示しない）とのマッチング処理を行い、手書きされた文字列をアプリケーションで利用可能な文字列に変換する。変換後の文字列であるギリシア文字の“α”は、アプリケーションで利用されるテキストボックス１２０に表示される（図６（ｅ））。
上記処理をタッチパッド１２の入力操作を行うごとに実行し、テキストボックス１２０に任意の文字列を入力することが可能となる。
【００５３】
尚、本実施例では、ディスプレイ１１に手書き認識領域１３０を表示させ、タッチパット１２にて手書き認識領域１３０内に文字列を入力するように制御しているが、これ以外に、ディスプレイ１１の全画面を手書き認識領域と判断する、或いは、テキストボックス１２０などの文字列入力用のオブジェクトを選択した後のタッチパッド１２による入力操作は手書き認識とすると判断しても良い。
また、手書き認識を行わない場合は、入力部７やタッチパッド１２の操作により、ディスプレイ１１に文字列を入力するためのキーボードを表示させても良い。
【００５４】
（第２の省電力モード移行動作）
ウェアラブル情報端末１の第２の省電力モード移行動作について、図７のフローチャートを用いて説明する。制御部３は、センサ１３から傾きを示す信号を受信し、信号に基づいて基準軸からの傾きの角度を算出することにより、ウェアラブル情報端末１の現状の基準軸からの傾きの角度を記憶部５に記憶させる（Ｓ１０）。これは、連続的にセンサの傾きの角度を検出しその傾きの角度に変化があるか否かを判断するための前処理であり、次のステップでセンサ１３により検出されるウェアラブル情報端末１に対する傾きとの比較に利用される。
【００５５】
次に、記憶部５に記憶された傾きの角度と今回センサ１３により検出される傾きの角度とを比較し、両者の値が異なるか否かを判断する（Ｓ２０）。本実施例では、記憶部５に記憶される傾きの角度とセンサ１３により検出される傾きの角度とが異なるか否かを判断の対象としているが、両者の値の差分が所定値以上である場合、或いは両者の値の差分が所定範囲を超える場合に両者の値が異なると判断するように制御しても良い。この場合、両者の値の差分が大きい、或いは両者の値の差分が所定範囲を超える場合は、ウェアラブル情報端末１の傾きの角度の変化が大きい、つまり使用者は腕を振って歩行中や運動中であると判断をすることが可能となる。
【００５６】
両者の値が異なると判断される場合は（Ｓ２０：ＹＥＳ）、繰り返し傾きの角度を比較するため、今回センサ１３により検出された傾きの角度を記憶部５に記憶する（Ｓ３０）。一方、両者の値が異なると判断されない場合は（Ｓ２０：ＮＯ）は、ウェアラブル情報端末１が静止した状態であると判断し処理を終了する。
【００５７】
ステップＳ３０の処理に続き、制御部３は本処理開始から所定の時間が経過したか否かを判断する（Ｓ４０）。時間の計測に関しては、図示しないタイマを用いて、制御部３により本処理を開始した時点でタイマを駆動させることにより経過時間を計測する。また、所定の時間は記憶部３に記憶されており、使用者がタッチパッド１２、入力部７を用いて任意に変更できるものであっても良い。所定の時間が経過する前であると判断した場合（Ｓ４０：ＮＯ）、傾きの変化を検出するため再度ステップＳ２０から処理を繰り返す。
【００５８】
所定の時間が経過したと判断する場合（Ｓ４０：ＹＥＳ）、制御部３によりタッチパッド１２に対する操作が検出されたか否かを判断する（Ｓ５０）。タッチパッド１２に対する操作が検出される場合（Ｓ５０：ＹＥＳ）、使用者がウェアラブル情報端末１の操作を開始したと判断し処理を終了する。一方、制御部３によりタッチパッド１２に対する操作が検出されないと判断する場合（Ｓ５０：ＮＯ）、使用者は腕にウェアラブル情報端末１を装着したまま歩行中や運動中であると考えられ、このような場合にディスプレイ１１を起動モードから省電力モードへ移行する（Ｓ６０）。
【００５９】
（ポインタアイコンによるオブジェクト選択及び動作）
ウェアラブル情報端末１の傾きを利用したオブジェクトの選択処理について、図８の表示例と図９のフローチャートを用いて説明する。ディスプレイ１１には、機能の異なる複数のオブジェクトが表示される（図８）。本実施例では、ウェアラブル情報端末１でアプリケーションを起動するための複数のアイコン１４０−ａ〜１４０−ｃ、ファイル１６０、チェックボックス１７０、ボタン１８０、テキストボックス１２０が表示されている。制御部３は、ポインタアイコン１１０がオブジェクト上に存在するか否かを検出する（Ｓ１０）。ポインタアイコン１１０がオブジェクト上に存在しない場合（Ｓ１０：ＮＯ）、処理を終了する。
【００６０】
図８（ｂ）に示すように、ポインタアイコン１１０がオブジェクトの一つであるアイコン１４０−ｃ上に存在する場合（Ｓ１０：ＹＥＳ）、センサ１３によりウェアラブル情報端末１の基準軸に対する傾きが変化したか否かを検出する（Ｓ２０）。この変化とは、ポインタアイコン１１０をアイコン１４０−ｃ上に移動後にウェアラブル情報端末１が所定の角度だけ傾いた場合、或いは一方の傾きの角度から他方の傾きの角度に変化した後、再度一方の傾きの角度に変化した場合を含む。
【００６１】
ステップＳ２０によって傾きの変化が検出されない場合（Ｓ２０：ＮＯ）、処理を終了する。一方、ステップＳ２０によって傾きの変化を検出した場合（Ｓ２０：ＹＥＳ）、ポインタアイコン１１０が指し示すオブジェクト（アイコン１４０−ｃ）を選択する（Ｓ３０）。選択されたオブジェクトがアプリケーションを起動するためのアイコンである場合（Ｓ４０：ＹＥＳ）、ステップＳ３０にて選択されたアイコン１４０−ｃに関連付けられたアプリケーションを起動する（Ｓ５０）。一方、その他のオブジェクト（ファイル１６０、チェックボックス１７０、ボタン１８０、テキストボックス１２０）が選択された場合（Ｓ４０：ＮＯ）、その他のオブジェクトに対応する動作（ファイルを開く、チェックボックスの選択、ボタンをクリック）を実行する（Ｓ６０）。
上記のように、アプリケーションの起動等のオブジェクトに対する動作を実行する際のタッチパッド１２への操作は、ポインタアイコン１１０をオブジェクト上に移動させるだけで良く、オブジェクトに対する動作を実行するための操作を容易にすることが可能となる。
【００６２】
（ポインタアイコンの移動速度変更）
ポインタアイコン１１０の移動速度の変更処理について、図１０のフローチャートを用いて説明する。制御部３は、使用者によりタッチパッド１２への操作があるか否かを検出する（Ｓ１０）。タッチパッド１２への操作が検出されない場合（Ｓ１０：ＮＯ）、本処理は終了する。一方、タッチパッド１２への操作が検出される場合（Ｓ１０：ＹＥＳ）、タッチパッド１２への操作が静止した状態であるか否かを判定する（Ｓ２０）。タッチパッド１２への操作が静止した状態とは、使用者がタッチパッド１２へ指を接触させた状態で、指を動かすことがない状態を指す。
【００６３】
次に、タッチパッド１２への操作が静止した状態で所定時間経過したか否かを判断する（Ｓ３０）。所定時間の初期値は記憶部５に記憶されており、入力部７、又はタッチパッド１２の操作により任意に変更可能に構成しても良い。制御部３は、タッチパッド１２への操作が静止した状態で所定時間が経過したと判断する場合（Ｓ３０：ＹＥＳ）、変更部１５０によりポインタアイコン１１０の移動速度を通常速度モードよりも低速な低速度モードに変更する制御を行う（Ｓ４０）。
【００６４】
尚、制御部３は、タッチパッド１２への操作が所定時間無いと判断する場合、変更部１５０によりポインタアイコン１１０の移動速度を低速度モードよりも高速な通常速度モードに変更する制御を行う（図示せず）。
【００６５】
本実施例では、タッチパッド１２への操作の静止時間によってポインタアイコン１１０の移動速度を変更するように制御を行っているが、入力部７の入力によって移動速度を変更するように制御しても良い。このように、ポインタアイコン１１０の移動速度を通常の速度よりも低速に変更ことにより、ディスプレイ１１に表示される情報を選択する際のポインタアイコン１１０の操作が容易となる。
【００６６】
上述した手段、機能は、コンピュータ（ＣＰＵ、情報処理装置、各種端末を含む）が、
所定のプログラムを読み込んで、実行することによって実現される。アプリケーションプログラムは、例えば、フレキシブルディスク、ＣＤ（ＣＤ−ＲＯＭ等）、ＤＶＤ（ＤＶＤ−ＲＯＭ、ＤＶＤ−ＲＡＭ等）等のコンピュータ読み取り可能な記録媒体に記録された形態で提供される。この場合、コンピュータはその記録媒体からアプリケーションプログラムを読み取って、内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６７】
以上、本発明の実施形態について説明したが、本発明は上述した実施形態に限る物ではない。また、本発明の実施形態に記載された効果は、本発明から生じる最も好適な効果を列挙したに過ぎず、本発明による効果は、本発明の実施形態に記載されたものに限定されるものではない。
【産業上の利用可能性】
【００６８】
本発明は腕に装着して使用されるウェアラブル端末に好適である。特に、ウェラブル端末であるが故に、表示画面を様々な方向に向ける可能性があり、その表示画面の情報を他人から見られないように覆ったりすることが難しい課題が存在するが、本発明を利用すれば、そのような課題は解消される可能性が高くなる。更には、電池スペースに制約のあるウェラブル端末の省エネ能力も向上する。加えて、ウェラブル端末が小さいが故に、従来のタッチパネルを表示画面の前面に単に設けるという構成を採用すると、表示画面を視認しながら入力するという操作が困難になるが、本発明によればこのような問題も回避できる可能性が高まる。そして、顔認証などのカメラをウェアラブル端末に設けて、入力中であっても顔認証を随時に行えるように構成することも容易である。このように、ウェラブル端末のディスプレイを覗く使用者の顔を撮影できるように、前記ディスプレイの近傍に顔認証用のカメラを設けて、このカメラで随時に顔を撮影し、ウェラブル端末のコントローラが予め記憶した比較元の顔認証用の元データと比較処理を実行することによって、入力操作と並行して顔認証を実行できるという利点も供与できるのである。
【符号の説明】
【００６９】
１  ウェアラブル情報端末
２  充電器
３  制御部
４  通信部
５  記憶部
７  入力部
８  電源制御部
１０  充電システム
１１  ディスプレイ
１２  タッチパッド
１３  センサ
１４  端末筐体
１５  情報端末側端子部
２１  充電器筐体
２２  充電器側端子部
【図１】
2015207271.tif 000003
【図２】
2015207271.tif 000004
【図３】
2015207271.tif 000005
【図４】
2015207271.tif 000006
【図５】
2015207271.tif 000007
【図６】
2015207271.tif 000008
【図７】
2015207271.tif 000009
【図８】
2015207271.tif 000010
【図９】
2015207271.tif 000011
【図１０】
2015207271.tif 000012